(57)【要約】【課題】袋本体の折り畳みがその重力により自然に動作するために、折り畳みに特別の複雑な操作を要しなく、素早く折り畳むことができ、また、袋本体が整然とした折り畳みとなるだけでなく、被覆バックの二つ折りにも抵抗しない折り畳みとなる手提げ袋を提供する。【解決手段】左右両側壁と前後両面壁とからなる矩形の角筒形を基本形状とする手提げ紐付きの袋本体と、その底壁ともなりそれを上に折り畳んで納めうる二つ折り可能な被覆バックとの組合せであって、袋本体を高さが異なる１以上の折り目により複数段に分け、その折り目は、最も下の下段部とその上の段部との間の境界として折り始めとなる下位置で、左右両側壁及び前後両面壁において横長の内折り目として形成され、前後両面壁において、下段部とその上の段部とには、面幅が底辺となり且つ前記横長の内折り目の長さ中間部を頂部とする正立と倒立の二等辺三角形ないし台形の両側二辺となる傾斜した両外折り目をそれぞれ形成した。【選択図】    図１
2011083586.tif 000002
【特許請求の範囲】
【請求項１】
左右両側壁と前後両面壁とからなる矩形の角筒形を基本形状とする手提げ紐付きの袋本体と、この袋本体を上に折り畳んで納め得るその底壁ともなる二つ折り可能な被覆バックとの組合せであって、袋本体を高さが異なる１以上の折り目により複数段に分け、その折り目は、最も下の下段部とその上の段部との間の境界として折り始めとなる下位置で、左右両側壁及び前後両面壁において横長の内折り目として形成され、前後両面壁において、下段部とその上の段部とには、面幅が底辺となり且つ前記横長の内折り目の長さ中間部を共通頂部とする正立と倒立の二等辺三角形ないし台形の両側二辺となる傾斜した両外折り目をそれぞれ形成したことを特徴とする手提げ袋。
【請求項２】
袋本体の各段部間の境界の位置において、折り目は、左右両側壁で下から内折り目、外折り目と交互の配列となり、前後両面壁では下から外折り目、内折り目との交互の配列となっており、さらに前後両面壁では、下からの各段部に二辺の傾斜する両外折り目が、それで表れる二等辺三角形ないし台形が下から正立、倒立と交互配列となるように形成してあることを特徴とする請求項１記載の手提げ袋。
【請求項３】
左右両側壁と前後両面壁とからなる矩形の角筒形を基本形状とする袋本体において、前後両面壁の上端に、最終の二つ折り畳み形態に嵌め込むそれぞれループ状の手提げ紐を突設し、袋本体を高さが異なる１以上の折り目により複数段に分け、その折り目は、最も下の下段部とその上の段部との間の境界として折り始めとなる下位置で、左右両側壁で内折り目に形成してあって、前後両面壁においては、下段部とその上の段部との両方が合わさる合体範囲において、前記下の横内折り目位置で交差する両対角線を想定し、その両対角線では、交差点と両端とのそれぞれの中間点を取って上下横線と左右縦線とからなる矩形の範囲を想定し、前記下位置の折り目がその矩形範囲の中では内折り目に、その両側では外折り目に形成してあって、また、その矩形を構成する前記上下横線および左右縦線をそれぞれ内折り目に形成する一方、両対角線を矩形範囲内では外折り目に形成し、矩形範囲外では内折り目に形成してあり、そして、前記折り畳み形態が、以上の各内折り目と外折り目とで折り込んで左右に長い偏平形態となるとともに、その左右間の中間位置下へ閉じる二つ折りしてなるように構成したことを特徴とする手提げ袋。
【請求項４】
袋本体の各段部間の境界の位置において、折り目は、左右両側壁で下から内折り目、外折り目と交互の配列となり、前後両面壁ではそれぞれ外折り目として配列するとともに、矩形範囲の中では内折り目として形成し、下段部とその上の段部との折り目パターンが下から順次交互となる配列であることを特徴とする請求項３記載の手提げ袋。
【請求項５】
袋本体の各段部又はいずれかの段部に当該段部に掛かる重りを装着したことを特徴とする請求項１，２，３又は４記載の手提げ袋。
【発明の詳細な説明】
【技術分野】
【０００１】
この発明は、携帯に便利に折り畳み可能な手提げ袋に関する。
【背景技術】
【０００２】
手提げ袋は、袋に一対の手提げ紐を取り付けたものであるが、物の持ち運びに手軽に使用できることから、様々な形態において多用されている。また、外出中に使用する都合を考えて、携帯しやすく折り畳み可能に工夫される。従来の折り畳み式の手提げ袋としては、袋を縮め得るように多数のヒダを縦列と横列又はそのいずれかに配列するプリーツ加工によるものが多かった。
【先行技術文献】
【特許文献】
【０００３】
【特許文献１】実用新案登録第３０９５８４９号公報
【特許文献２】実用新案登録第３１２９８７８号公報
【特許文献３】実用新案登録第３１４８４６９号公報
【特許文献４】実開平６−５５２４２６号公報
【０００４】
また、二つ折りの財布のように偏平に折り畳み得るように工夫したものが提案される（特許文献４）。これによると、折り畳みできる袋本体と、その底壁ともなり二つ折りできる被覆バックとの組合せからなるもので、底壁の周囲に二つ折りの一片では雌ファスナーテープを、他の片では雄ファスナーテープをそれぞれ逢着し、摘まみ付きのスライダーにより雌雄ファスナーテープを閉じ合わせ得るようにし、折り畳んだ袋本体を二つ折りの中に納めるようにしたものであった。
【発明の概要】
【発明が解決しようとする課題】
【０００５】
上記のような従来の手提げ袋は、多数のヒダにより縮めるようにしてあると、縮める方向に導く特別の手作業を加える必要があることはもちろん、その操作が微妙に複雑で難しいため、時間がかかるとともに乱雑な折り畳みとなることは避けられなく、被覆バックの二つ折りの中に袋を納めてスライドファスナーにより閉じる形式のものには、プリーツ加工による折り畳み袋は使用できなかった。
【０００６】
特許文献４に記載のものは折り畳みが乱雑となる点を幾分解決した袋形態であって、底壁ともなる二つ折り可能な被覆バックの上に重ねるように折り畳む必要から、袋の前後両面壁を合体させて前後交互にジグザグ状に折り重ねるようにしたものであった。しかし、これも無理に折り畳む複雑な手作業となり、しかも、このジグザグの折り畳み形式では、その折り目がリブとなり被覆バックの二つ折りに抗することから、被覆バックの閉じに困難が伴うという問題があった。
【０００７】
この発明は、上記のような実情に鑑みて、袋本体の折り畳みがその重力により自然に動作するために、折り畳みに特別の複雑な操作を要しなく、素早く折り畳むことができ、また、袋本体が整然とした折り畳みとなるだけでなく、最後の閉じの二つ折りにも抵抗のない折り畳みとなる手提げ袋を提供することを課題とした。
【課題を解決するための手段】
【０００８】
上記の課題を解決するために、第１発明は、左右両側壁と前後両面壁とからなる矩形の角筒形を基本形状とする手提げ紐付きの袋本体と、その底壁ともなりそれを上に折り畳んで納め得る二つ折り可能な被覆バックとの組合せであって、袋本体を高さが異なる１以上の折り目により複数段に分け、その折り目は、最も下の下段部とその上の段部との間の境界として折り始めとなる下位置で、左右両側壁及び前後両面壁において横長の内折り目として形成され、前後両面壁において、下段部とその上の段部とには、面幅が底辺となり且つ前記横長の内折り目の長さ中間部を頂部とする正立と倒立の二等辺三角形ないし台形の両側二辺となる傾斜した両外折り目をそれぞれ形成したことを特徴とする手提げ袋を提供する（図１ないし図７）。
【０００９】
手提げ袋を上記のように構成したから、折り畳みに臨むには、手提げ紐を持ち上げながら矩形の基本形状に袋本体を保持した状態を基準として、その重力に任せて手提げ紐を下ろすと、袋本体が下から着地することから、下段部とその上の段部との境界の下位置では、左右両側壁において内折り目で折り込みが生じ、また、前後両面壁において下位置の両内折り目で引っ込みながら、両段部の傾斜両外折り目で折り出て、前後両方に共通頂部を中心に折り合う三角巾袋状部が突き出る。段数によりこの三角巾袋状部の数が一とは限らないが（請求項２）、前後両端に生じた三角巾袋状部を被覆バックの上に折り重ねてから、その折り畳みした状態を被覆バックの二つ折りで閉じ込める。なお、この袋本体の折り畳み状態では、左右間の中間に二つ折りの中心となるよう折り畳みの合間が生じることになる。
【００１０】
第２発明は、左右両側壁と前後両面壁とからなる矩形の角筒形を基本形状とする袋本体において、前後両面壁の上端に、最終の二つ折り畳み形態に嵌め込むそれぞれループ状の手提げ紐を突設し、袋本体を高さが異なる１以上の折り目により複数段に分け、その折り目は、最も下の下段部とその上の段部との間の境界として折り始めとなる下位置で、左右両側壁で内折り目に形成してあって、前後両面壁においては、下段部とその上の段部との両方が合わさる合体範囲において、前記下の横内折り目位置で交差する両対角線を想定し、その両対角線では、交差点と両端とのそれぞれの中間点を取って上下横線と左右縦線とからなる矩形の範囲を想定し、前記下位置の折り目がその矩形範囲の中では内折り目に、その両側では外折り目に形成してあって、また、その矩形を構成する前記上下横線および左右縦線をそれぞれ内折り目に形成する一方、両対角線を矩形範囲内では外折り目に形成し、矩形範囲外では内折り目に形成してあり、そして、前記折り畳み形態が、以上の各内折り目と外折り目とで折り込んで左右に長い偏平形態となるとともに、その左右間の中間位置下へ閉じる二つ折りしてなるように構成したことを特徴とする手提げ袋を提供する（図８ないし図１２）。
【００１１】
手提げ袋を上記のように構成したから、前後両面壁では、合体範囲において内側に折り込まれるとともに、中央部の矩形範囲では四角円錐形に出っ張るために、折り込み幅が半減し左右に長い偏平形態となり、表面の合間を中心に下へ容易に二つ折りして、それに手提げ紐を掛けることができる。
【発明の効果】
【００１２】
以上説明したように、この発明の手提げ袋によれば、袋本体の折り畳みがその重力により自然に動作するために、折り畳みに特別の複雑な操作を要しなく、ワンアクション程度に素早く操作でき、また、被覆バックや手提げ紐により閉じ止めやすく袋本体が整然とした折り畳みとなるだけでなく、二つ折りが袋本体では折り畳みの合間を中心とするため、二つ折り閉じ操作も容易且つ迅速になし得るものであって、殊に携帯する上で極めて便利且つ好都合であるという優れた効果がある。
【図面の簡単な説明】
【００１３】
【図１】第１発明の手提げ袋を折り畳みの基準点となる開き状態で示すとともに、二点鎖線で折り畳みの手始めの変形した形態を示す斜視図である。
【図２】同手提げ袋を自然動作による折り畳みの手始めの状態で示す概略側面図である。
【図３】同手提げ袋を自然動作による折り畳みの完了時点で示す斜視図である。
【図４】同手提げ袋を次の折り畳み状態で示す斜視図である。
【図５】同手提げ袋を被覆バックの二つ折りで折り畳みが完了した状態で示す斜視図である。
【図６】図１のＡ−Ａ線矢視において概略を示す平面断面図である。
【図７】図６のＢ−Ｂ線矢視の概略断面図であって、折り畳みの手始めの形態を二点鎖線で示す説明図である。
【図８】第２発明の手提げ袋を折り畳みの基準点となる開き状態で示す斜視図である。
【図９】図８のＬ−Ｌ位置における略断面図であって二点鎖線で折り畳みの手始めの状態を示す説明図である。
【図１０】同手提げ袋を自然動作による折り畳みの手始めの状態で示す概略斜視図である。
【図１１】同手提げ袋を次の折り畳み状態で示す斜視図である。
【図１２】同手提げ袋を手提げ紐で止めた二つ折り畳み完了状態で示す斜視図である。
【発明を実施するための形態】
【００１４】
以下に、第１発明の手提げ袋Ｐａと、第２発明の手提げ袋Ｐｂとを説明するる。いずれも、袋本体１の素材は布が望ましいが、紙、プラスチックフィルムやシート、その他の素材を使用できる。また、第１発明の被覆バック３は二つ折り可能に適度に剛性がありやゝ厚手のものが望ましい。また、両実施例では、袋本体１の折畳みを３段形式として図示したが、それ以上若しくは２段形式とすることもできる。
【実施例１】
【００１５】
図１ないし図７は、第１発明に係る手提げ袋Ｐａを示し、それは矩形の角筒直方形の手提げ袋本体１と、これが載るように底面が固着される二つ折り可能な被覆バック３との組合せであって（図１）、袋本体１に手提げ紐５，５が取り付けられ、この袋本体１が手提げ紐５，５とともに被覆バック３の上に丁度納まる形態に折り畳み可能であって（図４）、これを折り込み得るように、被覆バック３に二つ折りを止める手段７，８が具備される（図５）。二つ折りが袋本体１では折り畳みの合間２３，２４でなされるものである（図４）。
【００１６】
袋本体１は、被覆バック３の上に一回り小さく納まる寸法において左右に長い矩形の角筒形に布で縫製され、矩形の底面壁９と、左右両側壁１０，１０と、前後両面壁１１，１１とからなる。詳細な縫製状態は図示を省略するが、簡単に説明すると、一枚の布でその前後間中央部に底面壁９を取り、底面壁９の前後両端から立ち上げた両方の布を前後間の中央に沿って縫着することにより図１に示す矩形の直方形に縫製される。折り畳みは矩形の角筒形に内側へ入り目となり得る内折り目１３，１３，・・と、外へ出る目となり得る外折り目１４，１４，・・との両方の線を入り交じるように入れてなされるようになっている。上記のような縫製上から、底面壁９の上には組立ての余り１８，１８が生じている（図６）。
【００１７】
袋本体１は、高さで下段部１２ａ、中断部１２ｂ、上段部１２ｃにほゞ三等分されており、その境界を下位置Ｌと上位置Ｍとする。左右両側壁１０，１０では、三等分の下位置Ｌで横長の内折り目１３，１３が形成され、上位置Ｍでは横長の外折り目１４，１４として形成される。また、前後両面壁１１，１１においては、下位置Ｌでは横長の内折り目１３が形成される。
【００１８】
前後両面壁１１，１１には、さらに、下段部１２ａにおいて、下端全長を底辺とし上端の幅中央を頂部１６（外部は摘まみ縫いにより外折り目となっている）とする正立二等辺三角形の（ただし折りやすく台形に近い）二等辺としての傾斜した外折り目１４，１４が形成され、中段部１２ｂにおいては、頂部１６を共有し同形の倒立二等辺三角形の（これも台形に近い）二等辺としての傾斜した外折り目１４，１４が形成され、さらに上段部１２ｃにおいては正立二等辺三角形の二等辺としての傾斜した外折り目１４，１４が形成される。
【００１９】
被覆バック３は、袋本体１の底面壁９よりも一回り大きいほゞ矩形の形状であって、芯材を布で被覆した厚手素材が使用され、左右の間の中間において前後に切欠を設けることによりその箇所で二つ折りしやすくなっている。周囲にはスライドファスナーによる止める手段７が具備され、これについては、一片では雌ファスナーテープ７ａが、他片では雄ファスナーテープ７ｂが縫着され、その間に摘み付きスライダー１９が取り付けられる。
【００２０】
上記のように構成した手提げ袋を折り畳む手順については、両手提げ紐５，５を持ち上げながら（図１参照）、袋本体１を矩形の角筒形に保持させた状態（基準点）から始めるもので、両手提げ紐５，５を下ろしつつ袋本体１の重力に任せると、その下端部が被覆バック３に受けられることにより変形する。
【００２１】
図１の二点鎖線、図２の実線及び図７の二点鎖線は、その時における折り畳みの手始めの変形形態を示したものである。この形態については、左右両半々において、下段部１２ａと中段部１２ｂとの境界Ｌでは、それぞれ横長の両側面の内折り目１３，１３と前後両面の内折り目１３，１３とで折れ下がるとともに、傾斜した両外折り目１４，１４で張り出すことにより、下段部１２ａの正立二等辺三角形部分と中段部１２ｂの倒立二等辺三角形部分とが共通頂部１６を中心に合わさって、この合体した部分が前後両側へ三角巾の袋状部２１，２１として突き出る。なお、この状態では、側面の横長の内折り目１３は二つおり１３ａ，１３ａにその中に納まっている（図１の鎖線参照）。その間を合間２３と称する。
【００２２】
次に、袋本体１の重力に任せて両手提げ紐５，５をさらに放すように下ろすと、今度は、左右両側壁１０，１０では、中段部１２ｂと上段部１２ｃとの境界の上位置Ｍで、横長の外折り目１４，１４が折れ下がるとともに、前後両面壁１１，１１ではその位置Ｍでその横長の内折り目１３，１３が折り下がって（図２）、上段部１２ｃにおける二等辺三角形の二等辺の傾斜した外折り目１４，１４で張り出すことにより、開放形の三角巾袋状部２２，２２として突き出て、下の前記三角巾袋状部２１，２１に重なる（図３の状態）。
【００２３】
この状態は、同図に示す如く、上からみて六角形の形状であって、左右間の中間で袋本体１の口が閉じた状態で、折り畳みの合間２４が開口している。また、その丁度下には、下位置Ｌの左右両内折り目１３，１３が突き合うとともに、それに直列する前後内折り目１３，１３がそれぞれの三角巾袋状部２１，２１の中で折れて突き合う前記した合間２３が既に発生している（図３）。そこで、次に、両三角巾袋状部２１，２２及び２１，２２を図４の如く被覆バック３の上に折り重ねると、左右中間部にその閉じ口２３，２４が溝状に集まっているために、その部分を中心に被覆バック３を容易に二つ折りできる（図５）。
【００２４】
同図は、二つ折りした被覆バック３をスライドファスナーによる止める手段７で閉じた状態を示したが、さらにゴム輪による止める手段８を備えており、これについては、ゴム輪８ａを掛ける一対のボタン２７，２７が被覆バック３の両端に取り付けられる。なお、いずれか一方の止める手段７又は８だけでも良い。さらに被覆バック３には、小銭等を入れるスライドファスナー突きポケット２９が設けられる。
【００２５】
袋本体１の折り畳みは上記のように袋本体１の重力により自然に動作するように工夫されたものであるが、さらに操作がスムーズに自然動作するように、幾つかの補助手段が取られる。
【００２６】
基本的には、内折り目１３や外折り目１４がアイロンがけにより形成されるが、さらに折り傾向を付与するために、折り目を摘まみ出して縫着した折り目片１３ａ，１４ａが形成され、さらに内折り目１３では、その中に芯材３１が入れられる（図１，図７参照）。外折り目１４については、体裁上折り目片１４ａだけとした。また、下位置Ｌにおける左右両側の内折り目１３，１３が折りに付勢されるように、下端では底面壁９と左右両面壁１１，１１との間にゴム紐３３，３３を閉じ引きに介在させた。
【００２７】
また、折り畳み動作が袋本体１自体の重力によるものとしたので、その重力を加算させるようにした。これについては、左右両面壁１１，１１において、下段部１２ａ、中段部１２ｂ、上段部１２ｃに、それぞれポケット３５，３５，３５を設け、そこに板状の重り３７，３７，３７を入れた。
【００２８】
なお、類型の他の実施例としては、前後両面壁１１，１１では折り目を逆折りにすることにより、三角巾袋状部を内側へ突出する形態に構成することもできる。この場合は、その内突出形態のために前後幅は広く取られる。幅狭くできるように進展させたのが次の実施例２である。
【実施例２】
【００２９】
図８ないし図１２は、第２発明に係る手提げ袋Ｐｂを示すが、前記実施例の手提げ袋Ｐａとは基本的形状が同じであるので、以下に主として違いを中心にして説明する。
【００３０】
まず、被覆バック３が最終的に折り畳まれる形態については、左右間の中央部を中心として合間２６が外になるよう下へ反転する折り畳みとなり（図１１，図１２参照）、それを止める手段が手提げ紐５，５となるので、そのループの形状は原則として最終的な二つ折りに嵌まる大きさとなる（図１２参照）。
【００３１】
この手提げ袋Ｐｂにおいては、前記手提げ袋Ｐａとは違って、下段部１２ａと中断部１２ｂが合わさった合体範囲Ｆが内側に折れ込む。しかも、同時にその中央部の矩形の範囲Ｓ（図８，図１０においては、説明の都合から仮に梨地模様として表す）が折れ出て突出する。そのため、まず、上位置Ｍでは外折り目１４となるが、下位置Ｌでは（原則外折り目であって）矩形範囲Ｓの両外では外折り目１４，１４となるが、内側では内折り目１３，１３となる。
【００３２】
前後両面壁１１，１１の前記合体範囲Ｆがこの発明では最小範囲となるので、この範囲全体について説明すると、この範囲Ｓの矩形を交差する両対角線３８，３８の交差点４０として、交差点４０と各端の中間点４２，４２，４２，４２を結んで、それぞれ内折り目１３となる上下横線４４，４４と左右縦線４５，４５とからなる矩形の範囲Ｓが設けられる。下位置Ｌにおける横の折り目は上記の説明通りであるが、対角線３８，３８について見ると、合体範囲Ｆが内側に折れ込む関係で（原則内折り目であって）内折り目１３，１３，１３，１３となるのであるが、矩形範囲Ｓでは逆に外側へ突き出る関係で外折り目１４，１４，１４，１４となる。
【００３３】
図１０が手提げ紐５，５を下げながら袋本体１の重さで自然に折り畳む中途の状態（図２に対応する段階）を示したもので、図９に二点鎖線で示す如く、下位置Ｌにおいては、左右両側壁１０，１０が内折り目１３，１３で接近することにより、その間がジグザグ状に折り曲がって前後両面壁１１，１１が接近するが、矩形範囲Ｓの突出で接近が半減する。
【００３４】
上段部１２ｃは、下段部１２ａと同じ折り込み形状である。ちなみに、３段以上であるならば、下から下段部１２ａの折りパターンと中段部１２ｂの折りパターンとが交互となる。図１１は、自然に任せた折り込みの最終段階を示したもので（図３に対応）、前記ジグザグ折りのため矩形の偏平状態である。
【００３５】
また、上段部１２ｃが下段部１２ａと同パターンで同じ折り込みとなることから、偏平上面の左右間の中央において、袋口が閉じて合間２６が溝状に開口している（内部には合間が生じている）。その合間２６を外になるよう下に二つ折りしやすい。また、この折り方では合間２６から両手提げ紐５，５が突出するので、それを外側に回してから図１２に示す如く二つ折り形態の外側に嵌め込むことができる（その両手提げ紐５，５を仮に梨地模様で表す）。この状態で解けることなく安定して携帯できる。なお、初期の基準形状（図８の状態）を重さで整えやすく、底壁にも重りを入れる左右一対のポケット３５，３５が設けられる。
【符号の説明】
【００３６】
１  袋本体
３  被覆バック
５  手提げ紐
１０  左右両側壁
１１  前後両面壁
１２ａ  下段部
１２ｂ  下段部１２ａの上の段部としての中段部
１２ｃ  数段のうちの上段部
１３  内折り目
１４  外折り目
１６  共通頂部
２１，２２  三角巾袋状部
２３，２４，２６  折り畳みの合間
３５  ポケット
３７  重り
３８  対角線
４０  交差点
４２  中間点
４４  横線
４５  縦線
Ｌ  折り始めとなる下位置
Ｍ  上位置
Ｆ  合体範囲
Ｒ  中間位置
Ｓ  矩形範囲
【図１】
2011083586.tif 000003
【図２】
2011083586.tif 000004
【図３】
2011083586.tif 000005
【図４】
2011083586.tif 000006
【図５】
2011083586.tif 000007
【図６】
2011083586.tif 000008
【図７】
2011083586.tif 000009
【図８】
2011083586.tif 000010
【図９】
2011083586.tif 000011
【図１０】
2011083586.tif 000012
【図１１】
2011083586.tif 000013
【図１２】
2011083586.tif 000014
【手続補正書】
【提出日】平成22年1月18日(2010.1.18)
【手続補正１】
【補正対象書類名】明細書
【補正対象項目名】０００３
【補正方法】変更
【補正の内容】
【０００３】
【特許文献１】実用新案登録第３０９５８４９号公報
【特許文献２】実用新案登録第３１２９８７８号公報
【特許文献３】実用新案登録第３１４８４９６号公報
【特許文献４】実開平６−５５４２６号公報